(57)【特許請求の範囲】
【請求項１】
補助照明用の複数個の発光ダイオードが所望の照明範囲が形成されるように配列して実装された回路基板と、回路基板が収納された器具本体と、前記複数個の発光ダイオードを覆い器具本体の一部を形成するレンズカバーとを備え、前記複数個の発光ダイオードは、器具本体の外方に膨らんだ仮想の凸曲面上に出射面が揃うように配列され、且つ、前記凸曲面上の点を通る法線を配光の中心線として中心線から離れるほど中心線に対する光軸の開き角度を大きくしてあり、回路基板と前記各発光ダイオードとの間に介在し回路基板と前記各発光ダイオードとの間の距離を揃える高さ調整用スペーサを備え、高さ調整用スペーサは、前記各発光ダイオードのリードが挿通される挿通孔が各発光ダイオードの出射面を前記凸曲面上に揃え且つ回路基板からの各発光ダイオードのリードの突出量が揃うように配列されてなることを特徴とするナイトライト。
【請求項２】
商用電源のコンセントに差込可能な給電用の栓刃を器具本体の背面側に備えることを特徴とする請求項１記載のナイトライト。
【請求項３】
前記レンズカバーにより形成された照明範囲を調整可能な照明範囲調整用カバーが器具本体に装着されてなることを特徴とする請求項１または請求項２記載のナイトライト。
【請求項４】
周囲照度を検出する明るさセンサと、明るさセンサにより検出された周囲照度が規定値以下になると前記各発光ダイオードを点灯させる制御手段とを備えることを特徴とする請求項１ないし請求項３のいずれかに記載のナイトライト。
【請求項５】
周囲照度を検出する明るさセンサと、検知エリア内の人の存否を検知する人感センサと、明るさセンサにより検出される周囲照度が規定値以下であるときに人感センサにより検知エリア内の人の存在が検知されると前記各発光ダイオードを点灯させ人が検知されなくなると一定時間の時限後に前記各発光ダイオードを消灯させる制御手段とを備えることを特徴とする請求項１ないし請求項３のいずれかに記載のナイトライト。
【発明の詳細な説明】
【０００１】
【発明の属する技術分野】
本発明は、廊下や階段などの壁に配置されて夜間などに足元を照らすようにしたナイトライトに関するものである。
【０００２】
【従来の技術】
従来より、廊下などに面した壁の下部に配置されて足元を照らすようにしたナイトライトと称する照明器具が提供されている。この種のナイトライトとしては、例えば図１３に示すように、補助照明用の複数個（図示例では６個）の発光ダイオード２が収納された直方体状の器具本体１’と、複数個の発光ダイオード２を覆い器具本体１’の一部を形成するレンズカバー３０’とを備えたものが提供されている。ここにおいて、複数の発光ダイオード２は、図１３における器具本体１’の下部で左右方向の一直線上に配列されており、各発光ダイオード２の光軸の向きを図１３に示すように設定することによって扇状の照明範囲を得るようになっている。なお、図１３に示した例では、器具本体１’の上下方向に沿った中心線Ｂ’よりも左側に配列された３個の発光ダイオード２が、隣り合う発光ダイオード２の各光軸同士のなす角度が１０°になるように図示しない回路基板に実装されている。また、中心線Ｂ’よりも右側に配列された３個の発光ダイオード２が、隣り合う発光ダイオード２の各光軸同士のなす角度が１０°になるように実装されている。また、中心線Ｂ’に最も近い２つの発光ダイオード２は光軸が互いに平行になるように上記回路基板に実装されている。
【０００３】
【発明が解決しようとする課題】
しかしながら、上記従来構成のナイトライトでは、複数個の発光ダイオード２が一直線上に配列されているので、発光ダイオード２の光が照射される照明範囲を広くしようとすると、発光ダイオード２の個数を増やさなければならずコストが増加するとともに器具本体１’の大型化を招くという不具合があった。ここに、発光ダイオード２の個数を増やさずに発光ダイオード２の光軸の向きを変更することによって照明範囲を広くすることも考えられるが、この場合には照明範囲内での明暗のむらが生じてしまうという不具合があった。
【０００４】
本発明は上記事由に鑑みて為されたものであり、その目的は、従来に比べて発光ダイオードの個数を増加させることなく照明範囲の広がり角を大きくすることができるナイトライトを提供することにある。
【０００５】
【課題を解決するための手段】
請求項１の発明は、上記目的を達成するために、補助照明用の複数個の発光ダイオードが所望の照明範囲が形成されるように配列して実装された回路基板と、回路基板が収納された器具本体と、前記複数個の発光ダイオードを覆い器具本体の一部を形成するレンズカバーとを備え、前記複数個の発光ダイオードは、器具本体の外方に膨らんだ仮想の凸曲面上に出射面が揃うように配列され、且つ、前記凸曲面上の点を通る法線を配光の中心線として中心線から離れるほど中心線に対する光軸の開き角度を大きくしてあることを特徴とするものであり、従来に比べて発光ダイオードの個数を増加させることなく照明範囲の広がり角を大きくすることができる。また、請求項１の発明では、回路基板と前記各発光ダイオードとの間に介在し回路基板と前記各発光ダイオードとの間の距離を揃える高さ調整用スペーサを備え、高さ調整用スペーサは、前記各発光ダイオードのリードが挿通される挿通孔が各発光ダイオードの出射面を前記凸曲面上に揃え且つ回路基板からの各発光ダイオードのリードの突出量が揃うように配列されているので、前記各発光ダイオードのリードを高さ調整用スペーサの挿通孔に挿通して回路基板に半田付けすることによって回路基板と前記各発光ダイオードとの間の距離が揃うから回路基板と前記各発光ダイオードとの間の距離を簡単に揃えることができ、しかも、各発光ダイオードの出射面を前記凸曲面上に揃え且つ回路基板からの各発光ダイオードのリードの突出量を揃えることができ、組立作業が容易になる。
【０００６】
請求項２の発明は、請求項１の発明において、商用電源のコンセントに差込可能な給電用の栓刃を器具本体の背面側に備えるので、栓刃を商用電源のコンセントに差し込むことによって給電されるとともに設置されることになるから、設置および取り外しが容易になる。
【０００７】
請求項３の発明は、請求項１または請求項２の発明において、前記レンズカバーにより形成された照明範囲を調整可能な照明範囲調整用カバーが器具本体に装着されているので、照明範囲調整用カバーにより照明範囲を調整することができるから、設置場所に応じて照明範囲を適宜調整することが可能になるとともに、照明範囲の変更に伴う製造コストの増加が少なくなる。
【０００９】
請求項４の発明は、請求項１ないし請求項３の発明において、周囲照度を検出する明るさセンサと、明るさセンサにより検出された周囲照度が規定値以下になると前記各発光ダイオードを点灯させる制御手段とを備えるので、周囲が明るいときに前記各発光ダイオードが点灯するのを防止することができ、無駄な電力消費を抑制することができ、しかも、周囲が暗くなると、自動的に前記各発光ダイオードが点灯するから、利便性が向上する。
【００１０】
請求項５の発明は、請求項１ないし請求項３の発明において、周囲照度を検出する明るさセンサと、検知エリア内の人の存否を検知する人感センサと、明るさセンサにより検出される周囲照度が規定値以下であるときに人感センサにより検知エリア内の人の存在が検知されると前記各発光ダイオードを点灯させ人が検知されなくなると一定時間の時限後に前記各発光ダイオードを消灯させる制御手段とを備えるので、周囲が暗いときに人が検知されると前記各発光ダイオードが点灯し人が検知されなくなると一定時間の時限後に消灯されるから、利便性が向上するとともに無駄な電力消費を抑制することができる。
【００１１】
【発明の実施の形態】
（参考例１）
本参考例のナイトライトについて図１ないし図５を参照しながら説明する。以下では、図１における上下方向を用いて上下方向を規定し、図３（ｂ）における左面を前面とし、図３（ｂ）における右面を背面として説明する。
【００１２】
本参考例のナイトライトの器具本体１は、前面が開口した箱状の合成樹脂製のボディ１０と、ボディ１０の開口部分の大部分を覆うようにボディ１０に被着される合成樹脂製のカバー２０と、ボディ１０の開口部分のうちカバー２０により覆われていない部分を覆うように配設されるレンズカバー３０とで構成される。すなわち、レンズカバー３０は、透光性を有する合成樹脂により形成され、器具本体１の下部の一部を形成している。なお、ボディ１０の外形は、左右方向に離間した２つの直線の上端同士を中心部が周辺部よりも上方に凸となるように湾曲した曲線により繋ぎ、下端同士を中心部が周辺部よりも下方に凸となるように湾曲した曲線により繋いだ形状に形成されている。つまり、器具本体１は、上下方向に沿った器具本体１の中心線Ｂから離れるほど上下方向の幅が徐々に狭くなるような形状に形成されている。また、カバー２０は周部にアール部分を形成してある。
【００１３】
ボディ１０は、背壁の上半分の中央部に矩形状の露出窓１２が開口されており、壁面などに設置された商用電源のコンセントの差込口に差込可能な給電用の一対の栓刃４２，４２を備えた栓刃ブロック４０が装着されている。ここに、栓刃ブロック４０は、栓刃４２，４２がボディ１０の背面から露出するとともにボディ１０に対して回動自在となるように装着されている。栓刃ブロック４０は、かまぼこ状に形成された合成樹脂製の可動体４１を備え、可動体４１の両側面から突設された一対の軸ピン４３，４３をボディ１０の露出窓１２の周縁に形成された一対のコ字状のガイドリブ１３，１３に挿入するようになっている。ガイドリブ１３には、軸ピン４３を案内する案内溝１３ａが形成されている。つまり、栓刃ブロック４０は、軸ピン４３，４３を中心とする回転が可能になっており、ボディ１０に対して可動体４１の向きを変えることが可能になっている。
【００１４】
一対の栓刃４２，４２は、可動体４１の両側面にそれぞれの基部が結合されている。また、ボディ１０は、各ガイドリブ１３，１３それぞれの上方に隣接して台部１５，１５が突設されている。各台部１５，１５には、栓刃４２，４２を待避可能な待避溝１５ａが背面側に開放した形で形成されている。ここにおいて、待避溝１５ａは器具本体１の上下方向に沿って形成されており、上下方向の両側が開放され下端側が露出窓１２に連通し、上端側がボディ１０の背面に形成された凹所１６に連通している。
【００１５】
可動体４１は、各軸ピン４３，４３を案内溝１３ａ，１３ａに沿ってガイドリブ１３，１３の所定位置まで挿入した状態で、押さえ板６０によりボディ１０との間に挟持される。ボディ１０は、左右方向において各ガイドリブ１３，１３に隣接してボス１７，１７が突設され、各ボス１７，１７には取付ねじ８１，８１が螺入されるねじ孔１７ａ，１７ａが形成されている。一方、押さえ板６０は、矩形状に形成され、左右両側縁の下端部には取付片６１，６１が突設されており、各取付片６１，６１には取付ねじ８１，８１が挿通される挿通孔６１ａ，６１ａが形成されている。したがって、挿通孔６１ａ，６１ａを通して取付ねじ８１，８１をねじ孔１７ａ，１７ａに螺合させることによって、押さえ板６０がボディ１０に対して結合される。なお、押さえ板６０におけるボディ１０の底面との対向面には、軸ピン４３が挿入される保持溝６２ａを形成した支持片６２が突設されており、栓刃ブロック４０が回動自在となるように保持される。なお、各栓刃４２，４２を待避溝１５ａ，１５ａに待避した状態では、各栓刃４２，４２の先端部が凹所１６に待避されるようになっているので、各栓刃４２，４２の先端部を指で触ることができ、各栓刃４２，４２をボディ１０の背壁に直交するような位置まで容易に回動させることができる。
【００１６】
器具本体１内には、複数個（本参考例では６個）の発光ダイオード２や、焦電素子からなる熱線センサを備え検知エリア内の人の存否を検知する人感センサ３や、周囲照度を検出するＣｄＳからなる明るさセンサ４などが実装されたプリント基板からなる回路基板５０が納装されており、人感センサ３および明るさセンサ４の受光面（図２における上面）側には、受光レンズ（図示せず）と左右方向の中央部が両端部よりも突出するように湾曲し受光レンズを保護する保護カバー７１とを保持した保持枠７２を備えるレンズブロック７０が人感センサ３および明るさセンサ４を覆う形で配設されている。
【００１７】
カバー２０の前面には、保護カバー７１に対応する部位に保護カバー７１の一部を露出させる開口窓２３が開口された凹所２２が形成されており、開口窓２３の上下の周縁には保護カバー７１の上部および下部にそれぞれ重なる保持片２４が形成されている。したがって、保護カバー７１および受光レンズを通して人感センサ３の熱線センサに熱線が入射するようになっている。保護カバー７１および受光レンズは、赤外線が透過しやすいように高密度ポリエチレン樹脂を用いて構成されている。なお、回路基板５０と一対の栓刃４２，４２とは、導電性材料からなる２つの接続板５８ａ，５８ｂにより電気的に接続されている。各接続板５８ａ，５８ｂは、Ｌ字状に形成されており、一端部が回路基板５０に接続され他端部が栓刃４２，４２に接続されている。
【００１８】
上述の複数個の発光ダイオード２は、回路基板５０の下部の前面側に配設されリード２ｂが回路基板５０の背面側で半田付けされている。つまり、複数個の発光ダイオード２は、光の出射面がレンズカバー３０に臨むようになっている。したがって、例えば壁面などに設置されたコンセントの差込口に栓刃４２を差し込む際に、器具本体１をレンズカバー３０が下側になるようにして設置すれば、夜間などの暗い時に人感センサ３によって人が検知されると発光ダイオード２が自動的に点灯し、発光ダイオード２の光によって床面を照らすことができるから、足元の明るさを確保できる。
【００１９】
また、回路基板５０の前面には、器具本体１内において複数個の発光ダイオード２が配設される空間と他の回路部品が配設される空間とを分離する分離用スペーサ５６が前方へ立設されている。なお、分離用スペーサ５６は遮光性を有する材料により形成され、発光ダイオード２の光を反射させる反射板としての機能を有している。したがって、発光ダイオード２の光が明るさセンサ４に入射するのを防止することができる。
【００２０】
上述の回路基板５０には、図５に示すような回路が形成されている。すなわち、回路基板５０には、複数個の発光ダイオード２、人感センサ３、明るさセンサ４の他に、複数個の発光ダイオード２を同時に点灯させる点灯回路５、上記一対の栓刃４２を介して商用電源よりなる交流電源Ｖｓに接続され交流電源Ｖｓから点灯回路５の動作電源を生成する第１の電源回路６、人感センサ３と明るさセンサ４との出力に基づいて点灯回路５を制御する制御回路７、上記一対の栓刃４２を介して交流電源Ｖｓに接続され交流電源Ｖｓから制御回路７の動作電源を生成する第２の電源回路８などの回路部品が実装されている。ここにおいて、制御回路７は、人感センサ３から人体検知出力が入力された時に、明るさセンサ４により検出されている周囲照度が規定値以下であると（つまり、器具本体１の周囲が暗いと）、各発光ダイオード２が点灯するように点灯回路５を制御し、人感センサ３の人体検知出力が停止すると、あらかじめ時定数回路で設定されている一定時間の時限後に、発光ダイオード２が消灯するように点灯回路５を制御する。なお、各電源回路６，８は、壁面などに設置されたコンセントの差込口に栓刃４２を差し込むことによって、交流電源Ｖｓから給電されることになる。
【００２１】
したがって、周囲が明るいときに各発光ダイオード２が点灯するのを防止することができ、無駄な電力消費を抑制することができ、しかも、周囲が暗いときに人が検知されると各発光ダイオード２が点灯し人が検知されなくなると一定時間の時限後に消灯されるから、無駄な電力消費を抑制することができるとともに利便性が向上する。なお、本参考例では、制御回路７と点灯回路５とで制御手段を構成している。また、本参考例では、人感センサ３を設けてあるが、人感センサ３を設けずに、制御回路７が明るさセンサ４の出力に基づいて点灯回路５を制御するようにしてもよく、この場合には、明るさセンサ４により検出される周囲照度が規定値以下の間だけ各発光ダイオード２が点灯していることになる。
【００２２】
ところで、上述のレンズカバー３０は外方に膨らむ曲面状に形成されている。また、上述の複数個の発光ダイオード２は、図１に示すように、レンズカバー３０に沿って配列されている。すなわち、複数個の発光ダイオード２は、器具本体１の外方に膨らんだ仮想の凸曲面上に出射面が揃うように配列され、且つ、上記凸曲面上の点を通る法線を配光の中心線（以下、基準線と称す）として基準線から離れるほど基準線に対する光軸の開き角度を大きく設定している点に特徴がある。ここにおいて、基準線は、器具本体１の前後方向において、器具本体１の上下方向に沿った中心線Ｂと重なるように設定してあり、本参考例における複数個の発光ダイオード２は、基準線から離れるほど基準線と光軸とのなす角度が大きくなるように回路基板５０に実装されている。図１に示した例では、最も左側および最も右側の各発光ダイオード２の各光軸と上記基準線とのなす角度をそれぞれ２５°とし、左から２番目および右から２番目の各発光ダイオード２の各光軸と上記基準線とのなす角度をそれぞれ１５°とし、残りの２つの発光ダイオードの各光軸と上記基準線とのなす角度をそれぞれ５°としてある。なお、複数個の発光ダイオード２は１つの円弧上に配列されることになる。
【００２３】
しかして、本参考例では、従来に比べて発光ダイオード２の個数を増加させることなく照明範囲の広がり角を大きくすることができる。つまり、本参考例では、広がり角の大きな扇状の照明範囲を実現することが可能になる。しかも、従来に比べて発光ダイオード２の個数を増加させることなく照明範囲の広がり角を大きくしたにもかかわらず、照明範囲内に明暗のむらが生じるのを抑制することができる。
【００２４】
（参考例２）
本参考例のナイトライトの基本構成は参考例１と略同じであって、図６ないし図９に示すように、レンズカバー３０により形成された照明範囲を調整可能な照明範囲調整用カバーとして２つのレンズフード９０，９０が器具本体１に装着されている点に特徴がある。各レンズフード９０，９０は遮光性を有する材料により形成されている。なお、参考例１と同様の構成要素には同一の符号を付して説明を省略する。
【００２５】
ところで、各レンズフード９０，９０は、レンズカバー３０の前面に沿ってスライド自在となるような形状に形成され、レンズカバー３０の前面側においてレンズカバー３０の一部に重なるように配設されている。すなわち、左側のレンズフード９０は図８の矢印Ａ１の向きにスライド自在となるように器具本体１に装着され、右側のレンズフード９０は図８の矢印Ａ２の向きにスライド自在となるように器具本体１に装着されている。なお、器具本体１は、各レンズフード９０の出代９２をレンズカバー３０とカバー２０とで挟む形で保持している。
【００２６】
また、左側のレンズフード９０の右端縁および右側のレンズフード９０の左端縁にはそれぞれつまみ部９１，９１が外面側に突設されており、つまみ部９１を操作することによって所望の位置までスライドさせることができるようになっている。
【００２７】
図１３に示した従来構成のナイトライトおよび参考例１のナイトライトでは、照明範囲を変更することができないが、本参考例では、レンズカバー３０の前面側に２つのレンズフード９０，９０が器具本体１に対してスライド自在に装着されているので、レンズフード９０，９０をレンズカバー３０に沿ってスライドさせることで照明範囲を調整することができるから、設置場所に応じて照明範囲を適宜調整することが可能になるとともに、照明範囲の変更に伴う製造コストの増加が少なくなる。
【００２８】
（実施形態）
本実施形態のナイトライトの基本構成は参考例２と略同じであって、図１０ないし図１２に示すように、回路基板５０と各発光ダイオード２との間に介在し回路基板５０と各発光ダイオード２の間の距離を揃える高さ調整用スペーサ５７を配設している点に特徴がある。ここにおいて、高さ調整用スペーサ５７には、各発光ダイオード２の各２本のリード２ｂ，２ｂ（図６参照）がそれぞれ挿通される挿通孔（図示せず）が形成されている。また、高さ調整用スペーサ５７は分離用スペーサ５６の後端縁から連続一体に突設されている。なお、参考例１，２と同様の構成要素には同一の符号を付して説明を省略する。
【００２９】
ところで、参考例１，２のナイトライトでは、各発光ダイオード２の出射面を上記凸曲面上に揃えるために、回路基板５０への各発光ダイオード２の実装に際して回路基板５０の前面からの各発光ダイオード２のリード２ｂの突出量を揃える必要があって作業が面倒であるが、本実施形態では、回路基板５０と各発光ダイオード２との間に介在し回路基板５０と各発光ダイオード２の間の距離を揃える高さ調整用スペーサ５７を備え、高さ調整用スペーサ５７には各発光ダイオード２のリード２ｂが挿通される挿通孔が形成されているので、各発光ダイオード２のリード２ｂを高さ調整用スペーサ５７の挿通孔に挿通して回路基板５０に半田付けすることによって回路基板５０と各発光ダイオード２との間の距離が揃うことになり、回路基板５０と各発光ダイオード２との間の距離を簡単に揃えることができ、組立作業が容易になる。
【００３０】
【発明の効果】
請求項１の発明は、補助照明用の複数個の発光ダイオードが所望の照明範囲が形成されるように配列して実装された回路基板と、回路基板が収納された器具本体と、前記複数個の発光ダイオードを覆い器具本体の一部を形成するレンズカバーとを備え、前記複数個の発光ダイオードは、器具本体の外方に膨らんだ仮想の凸曲面上に出射面が揃うように配列され、且つ、前記凸曲面上の点を通る法線を配光の中心線として中心線から離れるほど中心線に対する光軸の開き角度を大きくしてあるものであり、従来に比べて発光ダイオードの個数を増加させることなく照明範囲の広がり角を大きくすることができるという効果がある。また、請求項１の発明では、回路基板と前記各発光ダイオードとの間に介在し回路基板と前記各発光ダイオードとの間の距離を揃える高さ調整用スペーサを備え、高さ調整用スペーサは、前記各発光ダイオードのリードが挿通される挿通孔が各発光ダイオードの出射面を前記凸曲面上に揃え且つ回路基板からの各発光ダイオードのリードの突出量が揃うように配列されているので、前記各発光ダイオードのリードを高さ調整用スペーサの挿通孔に挿通して回路基板に半田付けすることによって回路基板と前記各発光ダイオードとの間の距離が揃うから回路基板と前記各発光ダイオードとの間の距離を簡単に揃えることができ、しかも、各発光ダイオードの出射面を前記凸曲面上に揃え且つ回路基板からの各発光ダイオードのリードの突出量を揃えることができ、組立作業が容易になるという効果がある。
【００３１】
請求項２の発明は、請求項１の発明において、商用電源のコンセントに差込可能な給電用の栓刃を器具本体の背面側に備えるので、栓刃を商用電源のコンセントに差し込むことによって給電されるとともに設置されることになるから、設置および取り外しが容易になるという効果がある。
【００３２】
請求項３の発明は、請求項１または請求項２の発明において、前記レンズカバーにより形成された照明範囲を調整可能な照明範囲調整用カバーが器具本体に装着されているので、照明範囲調整用カバーにより照明範囲を調整することができるから、設置場所に応じて照明範囲を適宜調整することが可能になるとともに、照明範囲の変更に伴う製造コストの増加が少なくなるという効果がある。
【００３４】
請求項４の発明は、請求項１ないし請求項３の発明において、周囲照度を検出する明るさセンサと、明るさセンサにより検出された周囲照度が規定値以下になると前記各発光ダイオードを点灯させる制御手段とを備えるので、周囲が明るいときに前記各発光ダイオードが点灯するのを防止することができ、無駄な電力消費を抑制することができ、しかも、周囲が暗くなると、自動的に前記各発光ダイオードが点灯するから、利便性が向上するという効果がある。
【００３５】
請求項５の発明は、請求項１ないし請求項３の発明において、周囲照度を検出する明るさセンサと、検知エリア内の人の存否を検知する人感センサと、明るさセンサにより検出される周囲照度が規定値以下であるときに人感センサにより検知エリア内の人の存在が検知されると前記各発光ダイオードを点灯させ人が検知されなくなると一定時間の時限後に前記各発光ダイオードを消灯させる制御手段とを備えるので、周囲が暗いときに人が検知されると前記各発光ダイオードが点灯し人が検知されなくなると一定時間の時限後に消灯されるから、利便性が向上するとともに無駄な電力消費を抑制することができるという効果がある。
【図面の簡単な説明】
【図１】  参考例１を示す正面図である。
【図２】  同上の分解斜視図である。
【図３】  同上を示し、（ａ）は正面図、（ｂ）は右側面図、（ｃ）は平面図である。
【図４】  同上の背面図である。
【図５】  同上の回路図である。
【図６】  参考例２を示す分解斜視図である。
【図７】  同上を示し、（ａ）は正面図、（ｂ）は右側面図である。
【図８】  同上を示し、カバーなどを取り外した状態の正面図である。
【図９】  同上を示し、カバーなどを取り外した状態の下面図である。
【図１０】  実施形態を示す分解斜視図である。
【図１１】  同上の要部正面図である。
【図１２】  同上の要部側面図である。
【図１３】  従来例を示す正面図である。
【符号の説明】
１  器具本体
２  発光ダイオード
２ｂ  リード
３  人感センサ
４  明るさセンサ
５  点灯回路
７  制御回路
１０  ボディ
２０  カバー
３０  レンズカバー
４２  栓刃
５０  回路基板
５７  高さ調整用スペーサ
９０  レンズフード
【図１】
0003988408.tif 000002
【図２】
0003988408.tif 000003
【図３】
0003988408.tif 000004
【図４】
0003988408.tif 000005
【図５】
0003988408.tif 000006
【図６】
0003988408.tif 000007
【図７】
0003988408.tif 000008
【図８】
0003988408.tif 000009
【図９】
0003988408.tif 000010
【図１０】
0003988408.tif 000011
【図１１】
0003988408.tif 000012
【図１２】
0003988408.tif 000013
【図１３】
0003988408.tif 000014